(57)【要約】【課題】裏写りを除去させるための適切な設定をより容易に行える画像処理装置を提供する。【解決手段】システム制御部は、操作部を構成する液晶タッチパネルに表示させた裏写り裏写り除去設定画面上の「モニター」キーを操作した後、「モニター出力」キーをユーザが操作すると、画像読み取り部に原稿を読み取らせて、読み取らせた画像に対し、裏写りを除去するレベル（設定内容）を変えて裏写り除去部による画像処理を行わせる。画像処理を施した画像は、画像処理を行った画像を転写紙に印刷した状態をレベル別に配置した裏写り除去モニタ出力画面を液晶タッチパネルに表示させる。【選択図】　　　図７
2004112546.tif 000002
【特許請求の範囲】
【請求項１】
媒体の両面に形成される画像を処理対象とする画像処理装置において、
前記媒体の一方の面に形成させる画像に対し、他方の面に形成させる画像への視覚的な影響を除去するための画像処理を行う画像処理手段と、
前記画像処理手段が画像処理を行った後の画像を前記媒体上に形成させた場合の状態を、該画像処理に用いた設定内容を変えて複数、表示装置上に表示させる表示手段と、
前記媒体に形成させる画像の画像処理に用いるべき設定内容を指定するための指定手段と、
を具備することを特徴とする画像処理装置。
【請求項２】
前記画像処理手段が画像上の画像処理を行うエリアを指定できる、
ことを特徴とする請求項１記載の画像処理装置。
【請求項３】
媒体の両面に形成される画像を処理対象とする画像処理装置に実行させるプログラムであって、
前記媒体の一方の面に形成させる画像に対し、他方の面に形成させる画像への視覚的な影響を除去するための画像処理を行わせる機能と、
前記行わせる機能により画像処理を行わせた後の画像を前記媒体上に形成させた場合の状態を、該画像処理に用いた設定内容を変えて複数、表示装置上に表示させる機能と、
前記媒体に形成させる画像の画像処理に用いるべき設定内容を指定するための機能と、
を実現させるためのプログラム。
【発明の詳細な説明】
【０００１】
【発明の属する技術分野】
本発明は、媒体の一方の面に形成させる画像に対し、他方の面に形成させる画像への視覚的な影響、つまり裏面の画像が透けて、表面の画像の中に混ざって視認される裏写りを除去するための技術に関する。
【０００２】
【従来の技術】
カラースキャナ、及びデジタルカメラなどのカラー画像入力機器、及びそれを搭載したデジタルカラー複写機などの画像形成装置の普及により、本、雑誌、カタログ、広告、或いは新聞などの文書画像も、カラーで入力されるのが一般的になってきている。その一方では、記録紙（媒体）の両面に印刷を行える画像形成装置の普及により、記録紙の両面に印刷（画像形成）を行わせることが増えている。
記録紙の両面に印刷を行う場合、裏面の画像が透けて、表面の画像の中に混ざって視認される、所謂「裏写り」が生じることがある。その裏写りとは、例えば図９（ａ）、図９（ｂ）に示す画像を原稿のオモテ面、ウラ面からぞれぞれ読み取り、記録紙の両面にそれぞれ印刷させると、記録紙の一方の面、或いは両方の面からオモテ面、及びウラ面の画像が図９（ｃ）に示すように視認できてしまう現象のことである。特に、カラー文書などのカラー画像では、背景色が一様でなかったり、絵柄、模様、或いは写真が混在していることが多く、裏写りの影響が大きい。
その裏写りは、ブックスキャナや両面スキャナなどの特殊な入力機器を画像の読み取りに使用することで抑えることができる。しかし、特殊な入力機器に依存することは、汎用性を持たせるうえで望ましくない。このことから、現在では、印刷（形成）させる画像にデジタル画像処理を施すことによる裏写りを除去する画像処理装置が製品化させている。その従来の画像処理装置としては、例えば特許文献１に記載のものがある。
【特許文献１】特開２００１−１６９０８０公報
【０００３】
【発明が解決しようとする課題】
特許文献１に記載された従来の画像処理装置では、裏写りを除去するための画像処理を行ううえでの設定をユーザが変更できるようにして、より適切な形で画像を形成させられるようにしていた。しかし、その設定が適切か否かは、実際に画像を形成させなければ確認することはできない。このため、適切な設定を容易に行えないという問題点があった。
本発明は、裏写りを除去させるための適切な設定をより容易に行える画像処理装置を提供することを目的とする。
【０００４】
【課題を解決するための手段】
本発明の画像処理装置は、媒体の両面に形成される画像を処理対象にできることを前提とし、媒体の一方の面に形成させる画像に対し、他方の面に形成させる画像への視覚的な影響を除去するための画像処理を行う画像処理手段と、画像処理手段が画像処理を行った後の画像を媒体上に形成させた場合の状態を、該画像処理に用いた設定内容を変えて複数、表示装置上に表示させる表示手段と、媒体に形成させる画像の画像処理に用いるべき設定内容を指定するための指定手段と、を具備する。
なお、上記画像処理手段が画像上の画像処理を行うエリアは指定できる、ことが望ましい。
本発明のプログラムは、媒体の両面に形成される画像を処理対象とする画像処理装置に実行させることを前提とし、媒体の一方の面に形成させる画像に対し、他方の面に形成させる画像への視覚的な影響を除去するための画像処理を行わせる機能と、行わせる機能により画像処理を行わせた後の画像を媒体上に形成させた場合の状態を、該画像処理に用いた設定内容を変えて複数、表示装置上に表示させる機能と、媒体に形成させる画像の画像処理に用いるべき設定内容を指定するための機能と、を実現させる。
本発明では、媒体の一方の面に形成させる画像に対し、他方の面に形成させる画像への視覚的な影響を除去するための画像処理を、その処理に用いる設定内容を変えて複数、行わせ、その画像処理を行った後の画像を媒体上に形成させた場合の状態を、画像処理に用いた設定内容を変えて複数、表示装置上に表示させる。そのように複数の状態を表示させることにより、最適な設定をユーザは容易、且つ迅速に行えるようになる。
【０００５】
【発明の実施の形態】
以下、図面を参照しながら、本発明の実施の形態につき詳細に説明する。
図１は、本実施の形態による画像処理装置を搭載した画像形成装置（複写装置）の断面図である。
自動原稿送り装置（以後ＡＤＦ）１は、給送ローラ３、給送ベルト４によって、原稿台２に原稿の画像面を上にして置かれた原稿束の一番下の原稿から１枚ずつ繰り出してコンタクトガラス６上の所定の位置に給送する。給送した原稿は読み取りユニット５０によってコンタクトガラス６上の原稿の画像データを読み取るのを待って、給送ベルト４及び排送ローラ５によって排出する。原稿セット検知センサ７にて原稿台２に次の原稿が有ることを検知した場合、前の原稿と同様にコンタクトガラス６上に給送する。給送ローラ３、給送ベルト４、排送ローラ５は不図示の搬送モータによって駆動される。一枚の原稿を給送完了により原稿枚数をカウントアップするカウントも行う。
読み取りユニット５０は、露光ランプ５１によりコンタクトガラス６上の原稿に対する露光を行い、その露光による原稿からの反射光（読み取り光）は第１ミラー５２、第２ミラー５５、第３ミラー５６、及びレンズ５３を介してＣＣＤイメージセンサ５４に入射する。それにより、光学的に読み取った原稿の画像を画像データに変換する。
第１トレイ８、第２トレイ９、或いは第３トレイ１０に積載された転写紙は、各々第１給紙装置１１、第２給紙装置１２、或いは第３給紙装置１３によって１枚ずつ繰り出されて給紙され、縦搬送ユニット１４によって感光体１５に当接する位置まで搬送される。
読み取りユニット５０にて読み込まれた画像データは、それを用いてレーザー出力ユニット５８を駆動し、欠贈レンズ５９、及びミラー６０を介してそのユニット５８から射出されたレーザー光を感光体１５に導く書き込みユニット５７によって感光体１５に書き込まれる。現像ユニット２７は感光体１５上にトナーを付着させてトナー像を形成される。転写紙には、感光体１５の回転と等速で搬送ベルト１６によって搬送されながら、感光体１５上のトナー像が転写される。その後、定着ユニット１７にてトナー像を定着させ、排紙ユニット１８によって排紙トレイ１９に排出する。
転写紙の両面に画像を作像する場合は、トナー像を定着させた転写紙を排紙トレイ１９側に導く代わりに、両面入紙搬送路１１３に搬送し、反転ユニット１１２でスイッチバック反転を行った後、両面搬送ユニット１１１により再度、縦搬送ユニット１４に搬送する。両面搬送ユニット１１１により再度、縦搬送ユニット１４に送られた転写紙は、その裏面に上述したようにして画像が印刷された後に排紙される。また、転写紙を反転して排出する場合は、反転ユニット１１２でスイッチバック反転を行った後、反転排紙搬送路１１４により排紙ユニット１９に搬送して排紙する。
感光体１５、搬送ベルト１６、定着ユニット１７、排紙ユニット１８、及び現像ユニット２７には、不図示のメインモータから動力が伝達される。各給紙装置１１〜１３には、そのメインモータからの動力が不図示の給紙クラッチを介して選択的に伝達される。縦搬送ユニット１４には、そのメインモータからの動力が不図示の中間クラッチ２１を介して伝達される。
【０００６】
図２は、本実施の形態による画像処理装置を搭載した画像形成装置の構成図である。
その画像形成装置は、図２に示すように、原稿の画像の読み取りを行う画像読み取り部２０１と、その読み取り部２０１から画像データを入力し、裏写りを除去するための画像処理を行う裏写り除去部２０２と、その除去部２０２が画像処理を行った後の画像データを用いて転写紙上に画像形成（印刷）を行う画像形成部２０３と、表示装置や各種キー等を有する操作部２０４と、装置全体の制御を行うシステム制御部２０５と、を備えて構成されている。太線が画像データ、細線が制御データの流れを示す。
上記画像読み取り部２０１は、例えば読み取りユニット５０、及びそれが読み取った画像の濃度補正等の画像処理を行う部分を含むものである。裏写り除去部２０２は、特許文献１に記載の手法により裏写りを除去するものである。画像形成部２０３は、書き込みユニット５７や縦搬送ユニット１４、第１〜第３給紙装置１１〜１３、定着装置１７、両面搬送ユニット１１１、及び反転ユニット１１２などを駆動するものである。
【０００７】
図３は、上記操作部２０４の外観を示す図である。
その操作部２０４は、図３に示すように、表示装置として液晶表示装置（ＬＣＤ）を採用した液晶タッチパネル３１、テンキー３２、クリア／ストップキー３３、プリントキー３４、モードクリアキー３５、及び初期設定キーを備えている。液晶タッチパネル３１上には、状況に応じて、各種機能キー、部数、及び画像形成装置の状態を示すメッセージなどが図４に示すように表示される。
システム制御部２０５は、操作部２０４からユーザが行った操作内容を示す操作データを入力し、入力した操作データを解析して各部２０１〜２０３に対する制御を行い、操作部２０４の液晶タッチパネル３１には表示させるべき内容を表示させる。それにより、操作部２０４を介してユーザが行った指示に対応させる形で画像形成装置を動作させる。
操作部２０４上の初期設定キー３８をユーザが操作すると、システム制御部２０５は、その液晶タッチパネル３１に図４に示す初期設定画面を表示させる。それに表示された「裏写り除去設定」キーをユーザが更に操作すると、そのキーを濃く表示させるなどしてそれが操作されたことを示した後、次に図５に示すような裏写り除去設定画面を液晶タッチパネル３１に表示させる。操作されたキーが別のキーであり、その操作によって選択された機能の詳細を更に指定させなければならない場合（例えば変倍であれは変倍値等）にも、そのキーに対応する詳細機能の設定画面を表示させる。そのようなことを可能とするために、液晶タッチパネル３１を採用している。
その裏写り除去設定画面上の「モニター」キーを操作した後、「モニター出力」キーを操作すると、システム制御部２０５は、コンタクトガラス６上の原稿の図６（ａ）に示す予め固定的に定めたエリアを画像読み取り部２０１に読み取らせて、読み取らせた画像に対し、裏写りを除去するレベル（設定内容）を変えて裏写り除去部２０２による画像処理を行わせる。画像処理を施した画像は、図７に示すように、画像処理を行った画像を転写紙に印刷した状態をレベル別に配置した裏写り除去モニタ出力画面を液晶タッチパネル３１に表示させる。それにより、所望のレベル（最適な設定）を容易、且つ迅速に指定（設定）できるようにさせている。その所望のレベルは、特に詳細な説明は省略するが、図５に示す裏写り除去設定画面上の「レベル指定選択」キーを操作して表示される画面上で指定（設定）するようになっている。裏写り除去部２０２は、印刷させる画像に対する画像処理は指定されたレベルに従って行う。
一方、その裏写り除去設定画面上の「モニター」キーを操作した後、「エリア指定」キーを操作すると、システム制御部２０５は、次にエリアを指定させるための画面を液晶タッチパネル３１に表示させ、ユーザに所望のエリアを指定させる。そのエリアを指定すると、図６（ｂ）に示すように、コンタクトガラス６上の原稿の指定されたエリアを画像読み取り部２０１に読み取らせて、読み取らせた画像に対し、裏写りを除去するレベル（設定内容）を変えて裏写り除去部２０２による画像処理を行わせる。画像処理を施した画像は、図７と同様に、レベル別に液晶タッチパネル３１に表示させる。それにより、裏写りの防止を望むエリアにおける所望のレベルを容易、且つ迅速に指定できるようにさせている。
【０００８】
なお、本実施の形態では、裏写りを除去するエリアは１箇所としているが、そのように限定しなくとも良い。例えば図８（ａ）に示すように、エリア指定を行わない場合に対象とするエリアを２箇所、予め固定的に設定し、そのエリア指定を行う場合には、図８（ｂ）に示すように複数箇所、エリアを指定できるようにさせても良い。
裏写りを除去するレベルの指定（選択）については、それをより迅速に行えるように、裏写り除去モニタ出力画面上で行えるようにしても良い。そのレベルが多いような場合には、その出力画面に状態を配置するレベルやその個数などをユーザが設定できるようにさせても良い。
上述したような画像処理装置、或いはその変形例の動作を実現させるようなプログラムは、ＣＤ−ＲＯＭ、ＤＶＤ或いは光磁気ディスク等の記録媒体に記録させて配布しても良い。或いは、公衆網等で用いられる伝送媒体を介して、そのプログラムの一部、若しくは全部を配信するようにしても良い。そのようにした場合には、ユーザはプログラムを取得して既存の画像処理装置にロードすることにより、その画像処理装置に本発明を適用させることができる。このことから、記録媒体は、プログラムを配信する装置がアクセスできるものであっても良い。
【０００９】
【発明の効果】
以上説明したように本発明は、媒体の一方の面に形成させる画像に対し、他方の面に形成させる画像への視覚的な影響を除去するための画像処理を、その処理に用いる設定内容を変えて複数、行わせ、その画像処理を行った後の画像を媒体上に形成させた場合の状態を、画像処理に用いた設定内容を変えて複数、表示装置上に表示させる。このため、最適な設定をユーザは容易、且つ迅速に行うことができる。
【図面の簡単な説明】
【図１】本実施の形態による画像処理装置を搭載した画像形成装置の断面図である。
【図２】本実施の形態による画像処理装置を搭載した画像形成装置の構成図である。
【図３】操作部の外観を示す図である。
【図４】液晶タッチパネルに表示された初期設定画面を示す図である。
【図５】液晶タッチパネルに表示された裏写り除去設定画面を示す図である。
【図６】裏写り除去の対象となる原稿上のエリアを説明する図である。
【図７】液晶タッチパネルに表示された裏写り除去モニタ出力画面を示す図である。
【図８】裏写り除去の対象となる原稿上のエリアを説明する図である（他の実施の形態）。
【図９】裏写りを説明する図である。
【符号の説明】
３１　　液晶タッチパネル
２０１　　画像読み取り部
２０２　　裏写り除去部
２０３　　画像形成部
２０４　　操作部
２０５　　システム制御部
【図１】
2004112546.tif 000003
【図２】
2004112546.tif 000004
【図３】
2004112546.tif 000005
【図４】
2004112546.tif 000006
【図５】
2004112546.tif 000007
【図６】
2004112546.tif 000008
【図７】
2004112546.tif 000009
【図８】
2004112546.tif 000010
【図９】
2004112546.tif 000011